(57)【要約】【課題】カラスや猫等にごみを散乱されず、ごみ収集日以外はコンパクトに折り畳み可能で、さらに、ごみ箱の組み立て及び折り畳み操作が安定且つスムーズに行えるようなごみ収集箱を提供する。【解決手段】前面体１と後面体２と左右側面体３ａ、３ｂと上面体４とからごみ箱本体を形成し、後面体２の両側にごみ箱本体を起立可能にするための支柱５を立設すると共に、左右の各側面体３ａ、３ｂを折り畳み可能な中折れ状に構成し、さらに、組み立て及び折り畳み操作が安定、且つスムーズに行えるように平行移動手段を備えていることを特徴とする。【選択図】　　　図１
2004026341.tif 000002
【特許請求の範囲】
【請求項１】
前面体（１）と後面体（２）と左右側面体（３ａ、３ｂ）と上面体（４）とからごみ箱本体を形成し、後面体（２）の両側にごみ箱本体を起立可能にするための支柱（５）を立設すると共に、左右の各側面体（３ａ、３ｂ）を折り畳み可能な中折れ状に構成し、さらに、組み立て及び折り畳み操作が安定、且つスムーズに行えるように平行移動手段を備えていることを特徴とするごみ収集箱。
【請求項２】
前記平行移動手段は、前面体（１）の下部に備えられ、且つ移動が前後方向に規制されている車輪（６）であることを特徴とする請求項１記載のごみ収集箱。
【請求項３】
前記平行移動手段は、上面体（４）の両側に備えてあるガイドレール（７ａ，７ａ）と前面体（１）の上端に突設しガイドレール（７ａ，７ａ）に沿って移動する突子（７ｂ，７ｂ）とからなるガイド部材（７ａ，７ａ、７ｂ，７ｂ）であることを特徴とする請求項１記載のごみ収集箱。
【請求項４】
前記平行移動手段が請求項２記載の車輪（６）と、請求項３記載のガイド部材（７ａ，７ａ、７ｂ，７ｂ）と、を備えていることを特徴とする請求項１記載のごみ収集箱。
【請求項５】
前面体（１）、後面体（２）及び上面体（４）が枠体を備えた構成であることを特徴とする請求項１、２、３、又は４記載のごみ収集箱。
【請求項６】
前面体（１）には、組み立て及び折り畳み操作をするための操作部（８）を備えていることを特徴とする請求項１、２、３、４又は５記載のごみ収集箱。
【発明の詳細な説明】
【０００１】
【発明の属する技術分野】
本発明は、家庭等から出たごみを収集するための折り畳み可能なごみ箱に関するものである。
【０００２】
【従来の技術】
家庭等で出たごみを道路の所定の集積場所に放置しておくと、ごみ収集車がごみを収集する前に、強風でごみが飛ばされたり、カラスや猫等によってごみが散乱され、悪臭を発生したり、町の美観を損ねてしまう問題があった。そこで、この対策として、集積場所に放置されたごみの上にネットをかける方法があるが、これだけでは上記の問題を十分に解決することはできず、さらには、ごみを出す時に、地面やごみに触れるネットを直接手で触らなければならず不衛生で、しかも、ごみ収集車がごみを収集した後にネットを片づけなければならず非常に面倒であるという問題が出てきた。
【０００３】
前記のような問題を解決するために、ごみ集積場所にごみ箱が設置されるようになった。これにより、カラスや猫等によってごみを散乱されることを防ぎ、町の美観を保つことが可能であると共に、ネットを使用する必要もなくなるため衛生的となった。さらに、ごみ箱を折り畳み可能なものにすれば、収集日にだけごみ箱を組み立て、それ以外の日はコンパクトに折り畳んでおけるので、通行人の邪魔にもならず、より町の美観を保つことが可能となる。このように、ごみ集積場所における様々な問題は、折り畳み可能なごみ箱を設置することによりほぼ解決することが可能となった。そして、今では、折り畳み可能なごみ箱を組み立てたり、折り畳んだりする作業が、使用者にとっていかに安定且つスムーズに行えるかということが重要になってきている。
【０００４】
【発明が解決しようとする課題】
そこで、本発明は、上記の問題を総合的に解決するためになされたものであり、使用者がごみ箱を安定、且つスムーズに組み立てたり、折り畳んだり出来るように構成し、より完成度の高い折り畳み可能なごみ箱を提供することを目的とする。
【０００５】
【課題を解決するための手段】
上記目的を達成するために、本発明のうち請求項１記載の発明は、前面体と後面体と左右側面体と上面体とからごみ箱本体を形成し、後面体の両側にごみ箱本体を起立可能にするための支柱を立設すると共に、左右の各側面体を折り畳み可能な中折れ状に構成し、さらに、組み立て及び折り畳み操作が安定、且つスムーズに行えるように平行移動手段を備えていることを特徴とする。
【０００６】
ここで平行移動手段とは、前面体を後面体に対して前後に平行移動させることができるすべての手段をいう。
また、左右の側面体の中折れする方向に関しては、外側、内側など特に限定しないが、ごみ箱を折り畳んだ時によりコンパクトになるように、内側に中折れするのが望ましい。ごみを出し入れするための蓋体は、上面体の箇所にあることが望ましいが、必ずしもこれに限定されず前面体や後面体の箇所にあってもよい。
【０００７】
このように構成すると、前面体を後面体の方向に押すことで、左右の側面体が中折れ状態になると同時に上面体が前面体の前方に垂れ下がり、ごみ箱を容易、且つコンパクトに折り畳むことが可能となるうえ、さらに、平行移動手段を備えているため、前面体を後面体の方向に押す際に、前面体が後面体に対して平行に移動するため、より安定且つスムーズにごみ箱を折り畳むことが可能となる。また、ごみ箱を使用する時の組み立て操作においては、折り畳み操作の逆となり、前面体を手前に引くことで、左右の側面体が張られると同時に上面体がごみ箱本体の上面に押し上げられ、容易にごみ箱を形成することが可能となり、さらに、折り畳み操作と同様に、平行移動手段によって前面体を後面体に対して平行に手前に引くことができ、組み立て操作も非常に安定且つスムーズに行うことが可能となる。
【０００８】
請求項２記載の発明のように、平行移動手段を前面体の下部に備えられ、且つ移動が前後方向に規制されている車輪によって構成すると、車輪の動きが前後方向のみに規制されることから、前面体を後面体に対して平行に前後移動することが可能となり、ごみ箱の組み立て及び折り畳み操作を安定、且つスムーズに行うことができる。
【０００９】
平行移動手段が前記記載のような、前面体の下部に備えられ、且つ移動が前後方向に規制されている車輪でもよいが、請求項３記載の発明のように、平行移動手段を上面体の両側に備えてあるガイドレールと前面体の上端に突設しガイドレールに沿って移動する突子とからなるガイド部材で構成しても、ガイド部材に沿って前面体が前後に移動し、前面体を後面体に対して平行に前後移動することが可能となり、ごみ箱の組み立て及び折り畳み操作を安定、且つスムーズに行うことができる。
【００１０】
ここで、ガイド部材に関しては、特に限定はしないが、上面体の短手方向に断面が下向きにコの字状のガイドレールを少なくとも１本設けると共に、前面体の上端にガイドレールに嵌り込むような突子を設ければ、前面体を後面体に対して前後移動させる時に、突子がガイドレールに沿って移動するため、前面体を後面体に対して平行に前後移動することが可能となり、ごみ箱の組み立て及び折り畳み操作が安定、且つスムーズになる。また、前面体を後面体に対してより平行に前後移動させるために、ガイドレールは上面体の左右両側もしくは、左右両側付近に１本づつ設けることが望ましく、突子もガイドレールに対応して設けることが望ましい。
【００１１】
請求項４記載の発明のように、平行移動手段を請求項２記載の車輪と、請求項３記載のガイド部材によって構成すると、車輪とガイド部材の二つの平行移動手段によって前面体を後面体に対して平行に前後移動することが可能となり、ごみ箱の組み立て及び折り畳み操作のより一層の安定性、スムーズ化の向上を図ることができる。
【００１２】
請求項５記載の発明のように、前面体、後面体及び上面体を枠体を備えた構成にすると、枠の左右両側のうち少なくとも一方にガイド部材を備えることが可能となり、また、ガイド部材に沿って枠体である前面体が後面体に対して平行に前後移動するため、ごみ箱の組み立て及び折り畳み操作が非常に安定、且つスムーズとなる。また、ごみ箱を組み立てた時に、ごみ箱本体が前面体、後面体及び上面体の３面と上面体に設けたガイド部材で固定されるため、正確に長方形の箱体を形成することができる。さらに、枠体にすることで、枠の中であればどの位置にいくつでもごみを出し入れするための扉体を設けることが可能となり、扉体を上下、左右回動式、観音開き式、スライド式等に構成することが可能であり、また、枠体である前面体、後面体、上面体のどの面にも扉体を備えることが可能であるため、ごみ箱の大きさに応じて扉体を備える面を変更することが可能となり、さまざまな状況に対応することができる。
【００１３】
ごみ箱を組み立てたり折り畳む時に、直接前面体を押したり引いたりしてもよいが、請求項６記載の発明のように、前面体に操作部を備えることによって、操作性が向上し、よりごみ箱の組み立て及び折り畳み操作が安定、且つスムーズに行うことができる。
【００１４】
【発明の実施の形態】
以下、本発明によるごみ収集箱の実施形態について、図面に基づいて説明する。図１は本発明によるごみ収集箱の外観を示した斜視図、図２はごみ収集箱の側面図、図３はごみ収集箱を折り畳んだ状態を示した正面図、図４はごみ収集箱を折り畳んだ状態を示した側面図、図５はガイド部材の一部を示した拡大斜視図、図６は操作部の主要な部分を示した拡大斜視図である。
ごみ収集箱本体は、前面体１と後面体２と左右側面体３ａ、３ｂと蓋体をなす上面体４から形成されており、該上面体４はごみの出し入れが容易にできるように、後面側がら前面側にかけて下向きに傾斜している。
【００１５】
本発明のごみ収集箱は、前記ごみ箱本体を起立可能にするために立設した左右２本の支柱５に後面体２の左右枠が固着してあると共に、左右側面体３ａ、３ｂの後方が蝶番９で連結支持されており、左右側面体３ａ、３ｂの前方は前面体１の左右枠１０ａ、１０ｂに蝶番１１で連結支持されており、支柱５の上方には蓋体をなす上面体４の左右枠１２ａ、１２ｂの上部がボルト１３で上面体４が上下に回動可能なように連結支持され、上面体４の下枠１２ｄが前面体１の上枠１０ｃの上に載置するように構成されている。支柱５の側面下部には、ごみ収集箱の設置場所に応じてごみ収集箱の高さを調節可能にし、また、ごみ収集箱を地面にアンカー等で固定可能にするための支柱支持部１４がボルト１５によって連結支持されている。左右側面体３ａ、３ｂは、中央で左右２枚の面体に分かれており、２枚の面体の中央をごみ箱本体が内側に中折れするように蝶番１６で連結支持してある。上面体４の枠体１２ａ、１２ｂ、１２ｃ、１２ｄ内部には左右２枚の扉体１７、１７と上下枠１２ｃ、１２ｄに直角に設けた一対のガイドレール７ａ，７ａが設けてあり、左右２枚の扉体１７、１７は観音開き式となるよう各扉体１７、１７の片側が蝶番１８で前記各ガイドレール７ａ，７ａに連結支持され、その連結支持されたそれぞれのガイドレール７ａ，７ａには下面側に案内溝１９が設けてある。また、上面体４が後面側から前面側にかけて下向きに傾斜していることから、ごみ箱が折り畳まろうとして上面体４が下方に回動しようとするのを防ぐため、ガイドレール７ａ，７ａの前面側の先端部分は、地面に対して平行になるように形成してある。また、左右２枚の扉体１７、１７の中央には隙間２０を形成すると共に、左右２枚の扉体１７、１７の開閉部の中央に扉体１７、１７を開閉し易いように持ち手２１を備えている。上面体４の左右枠１２ａ、１２ｂの上端には、上面体４が下方に回動する際の衝撃を小さくするために、引っ張りばねやクリップばね等（図示せず）が後面体２の左右枠の上部に連結するように取り付けてある。
【００１６】
前面体１には操作部８が備えてあり、前面体１の下枠１０ｄの中央から左右対称の位置に下枠に対してある角度を設けて固着された一対の楕円状の環具２２に、彎曲した操作棒２３が上下方向に移動及び回動可能に支持されており（図６参照）、２本の操作棒２３の上端には持ち手２４が備えてあり、持ち手２４の一部を前面体１の中央枠１０ｅの上部に固着された止め金具２５に嵌め込めるようになっている。操作棒２３に関しては、扉体の形状や備え位置によって、１本であったり２本であったりする。また、止め金具２５はごみ収集箱を折り畳んだ時に、上面体４に設けられた２枚の扉体１７、１７の中央に形成された隙間部分２０から前方に飛び出るように形成されている。前面体１の下枠１０ｄには、断面が下向きコの字状の車輪取り付け部２６が２箇所設けてあり、軸２７の両側が車輪取り付け部２６の片側をそれぞれ貫通し車輪６に固着されてある。前面体１の上端には、上面体４に設けた一対のガイドレール７ａ，７ａの各案内溝１９、１９にそれぞれ嵌り込む位置に突子７ｂ，７ｂを突設してある。
【００１７】
ごみ収集箱の組み立て及び折り畳み操作がよりスムーズになるように、ごみ収集箱は比較的軽い材料で形成することが望ましく、また、ごみ収集箱の設置場所が屋外であることを考慮し、防錆性も兼ね備えていることが望ましい。さらに、前面体１、後面体２、左右側面体３ａ、３ｂ及び上面体４に関しては、格子状に形成することが望ましい。
【００１８】
ごみ箱を折り畳む際には、操作棒２３の上端に固着した持ち手２４を上方に持ち上げ、止め金具２５から持ち手２４の下部を解放し、操作棒２３を楕円状の環具２２を軸に下方に少し回動させた後、持ち手２４を押すことによって、前面体１が車輪６とガイドレール７ａ，７ａの案内溝１９、１９に沿って移動する突子７ｂ，７ｂとによって平行に後面体側に押され、左右側面体３ａ、３ｂが内側に中折れすると同時に、上面体４が下方に回動する。前面体１が支柱５の横位置に来るまで押さえると、上面体４が前面体１の前方に地面に対して垂直に垂れ下がり、後面体２、側面体３ａ、３ｂ、前面体１、上面体４が支柱５の奥行き内に収まるように収納される。そして、操作棒２３を上方に回動させ、操作棒２３の上端に固着した持ち手２４を下方に下げ、持ち手２４の下部を上面体４の中央に形成された隙間部分２０から飛び出した前面体１に固着された止め金具２５に嵌め込むことでごみ箱の折り畳み操作が完了する。また、持ち手２４は、ごみ箱や扉体１７、１７が開こうとするのを押さえるためのストッパーの役割も兼ねている。
【００１９】
ごみ箱を組み立てる際には、持ち手２４を止め金具２５から解放し、持ち手２４を手前に引くことによって、前面体１が車輪６と上面体４に設けられたガイドレール７ａ，７ａの案内溝１９、１９に沿って移動する突子７ｂ，７ｂとによって平行に前方に引き出され、左右側面体３ａ、３ｂが張られると共に、上面体４が上方に回動する。前面体１を最大限まで引き出すと、上面体４の下枠１２ｄが前面体１の上枠１０ｃの上に載り、そこで、持ち手２４の下部を止め金具２５に嵌め込むことでごみ箱の組み立て操作が完了する。持ち手２４は、ごみ箱が折り畳まろうとして上面体４が下方に回動しようとするのを防ぐストッパーの役割も兼ねている。
【００２０】
【発明の効果】
本発明のうち請求項１、２及び３記載の発明は、ごみ収集箱本体を折り畳み可能に構成し、さらに、ごみ収集箱に平行移動手段である車輪もしくはガイド部材を備えることによって、ごみ収集日以外はコンパクトに折り畳んでおくことが可能となり町の景観を損ねることがなく、また、ごみ収集箱の組み立て及び折り畳みを一連操作で安定、且つスムーズに行うことが可能となり、使用者にとっても非常に使い易いごみ収集箱を提供することができる。
【００２１】
本発明のうち請求項４記載の発明は、ごみ収集箱に車輪とガイド部材の２種類の平行移動手段を備えることによって、組み立て及び折り畳み操作のより一層の安定性、スムーズ化の向上を図ることができる。
【００２２】
本発明のうち請求項５記載の発明は、前面体、後面体及び上面体を枠体を備えた構成にすることによって、前記記載の効果に加え、前面体、後面体及び上面体のどの位置にも扉体を設けることが可能となり、さまざまなごみ集積場所の状況に対応するごみ収集箱を提供することができる。
【００２３】
本発明のうち請求項６記載の発明は、ごみ収集箱の前面体に組み立て及び折り畳み操作を行うための操作部を備えることによって、前記記載の効果に加え、組み立て及び折り畳みの操作性の向上を図ることができる。
【図面の簡単な説明】
【図１】本発明のごみ収集箱の外観を示した斜視図である。
【図２】本発明のごみ収集箱を示した側面図である。
【図３】本発明のごみ収集箱の折り畳んだ状態を示した正面図である。
【図４】本発明のごみ収集箱の折り畳んだ状態を示した側面図である。
【図５】ガイド部材の一部を示した拡大斜視図である。
【図６】（ａ）（ｂ）操作部の主要な部分を示した拡大斜視図である。
【符号の説明】
１　前面体
２　後面体
３ａ　側面体
３ｂ　側面体
４　上面体
５　支柱
６　車輪
７ａ　ガイド部材（ガイドレール）
７ｂ　ガイド部材（突子）
８　操作部
【図１】
2004026341.tif 000003
【図２】
2004026341.tif 000004
【図３】
2004026341.tif 000005
【図４】
2004026341.tif 000006
【図５】
2004026341.tif 000007
【図６】
2004026341.tif 000008